(57)【要約】【課題】紙葉類カセット内に格納されている紙幣の残量を確認する際に、扉を開けて確認する手間をなくす。【解決手段】紙葉類カセット１内の紙幣６の残量が減少することによって、矢印Ａ方向に移動するステージ８と連動するベルト５を設け、ベルト５には紙幣６の残量を示す目盛２４を設けた。さらに、紙幣６の残量に合わせて停止した位置の目盛２４を指し示す残量確認位置９を設け、紙葉類カセット１の扉３に設けた確認用窓４にて、ベルト５の目盛２４と残量確認位置９を確認できるようにした。【選択図】図１
2008152311.tif 000002
【特許請求の範囲】
【請求項１】
移動可能なステージを設け紙葉類の集積および繰出しを行う紙葉類カセットにおいて、
前記ステージの移動と連動して移動するベルトと、
前記ベルトに前記紙葉類の残量を表す目盛を設け、
前記ベルトに設けられた前記目盛を前記紙葉類カセット外側から確認する確認部を設け、
前記紙葉類の残量を前記紙葉類カセット外側から確認できるようにしたことを特徴とする紙葉類カセット。
【請求項２】
前記ベルトは、前記ステージを移動させるギアと連結した嵌合部材を設けたことを特徴とする請求項１記載の紙葉類カセット。
【請求項３】
前記ベルトは、色の濃淡により残量を表すようにしたことを特徴とする請求項１および請求項２記載の紙葉類カセット。
【請求項４】
前記ベルトは、色幅の長さにより残量を表すようにしたことを特徴とする請求項１および請求項２記載の紙葉類カセット。
【請求項５】
請求項１ないし請求項４いずれか記載の紙葉類カセットを搭載したことを特徴とする紙葉類取扱装置。
【発明の詳細な説明】
【技術分野】
【０００１】
本発明は、紙葉類を取り扱う紙葉類カセットおよび紙葉類取扱装置の技術に関する。
【背景技術】
【０００２】
従来、金融機関等に設置される紙葉類取扱装置においては、内部に紙葉類入出金機が設けられており、この紙葉類入出金機の内部には紙葉類カセットが設けられている。また、紙葉類カセットには扉と鍵穴が設けられており、紙葉類の残量を確認するには、取扱者が鍵で扉を開けて、目視で確認を行っていた（例えば、特許文献１参照）。
【特許文献１】特開２００６−５３８１０号公報
【発明の開示】
【発明が解決しようとする課題】
【０００３】
しかしながら、上記従来の紙葉類カセットの構成では、紙葉類カセット内の紙葉類の残量を確認するには、開錠して紙葉類カセットの扉を開かなければならず、取扱者にとって確認作業が煩わしいという問題点があった。
【課題を解決するための手段】
【０００４】
本発明は、前述の課題を解決するため次の構成を採用する。すなわち、移動可能なステージを設け紙葉類の集積および繰出しを行う紙葉類カセットにおいて、前記ステージの移動と連動して移動するベルトと、前記ベルトに前記紙葉類の残量を表す目盛を設け、前記ベルトに設けられた前記目盛を前記紙葉類カセット外側から確認する確認部を設けるようにした。  
【発明の効果】
【０００５】
本発明の紙葉類カセットおよび紙葉類取扱装置によれば、前記ステージの移動と連動して移動するベルトと、前記ベルトに前記紙葉類の残量を表す目盛を設け、前記ベルトに設けられた前記目盛を前記紙葉類カセット外側から確認する確認部を設けたので、紙葉類カセットの扉の鍵を開錠せずに外側から紙葉類の残量を確認することができる。
【発明を実施するための最良の形態】
【０００６】
以下、本発明に係わる実施の形態例を、図面を用いて説明する。図面に共通する要素には同一の符号を付す。なお、以下説明する紙葉類カセットおよび紙葉類取扱装置の実施例の説明では、媒体として一般に使用される紙幣を例として説明するが、これに限定するものではない。
【実施例１】
【０００７】
（構成）
本発明の構成を説明する図として、図４は実施例１の紙葉類取扱装置の構成図を示し、図５は紙葉類取扱装置の外観斜面図を示す。
【０００８】
図４において１０は紙葉類取扱装置であり、その内部には装置全体及び各ユニットを制御する主制御部１７を設けている。インターフェース部２０は、上位装置２１と主制御部１７を通信回線で通信を行い、上位装置２１は、制御部１７より送られた取引内容のデータとデータベースの照会を行う機構を設けている。
【０００９】
メモリ部１９は取引操作で発生する様々なデータを記録する機構を設けており、電源部１８は各部に電源の供給を行う。
【００１０】
そして、図４および図５において、カードリーダ部１１は、挿入された顧客のキャッシュカードより顧客の口座番号やその他のデータを読み取る機構を設けている。
【００１１】
明細票印字部１２は取引内容を明細票に印字を行い、通帳記帳部１３は取引内容を通帳に印字する機構を設けており、紙葉類入出金部１４は、紙葉類（以後、紙幣とする）６の入出金処理を行い、硬貨入出金部１５は硬貨の入出処理を行う機構を設けている。
【００１２】
接客部１６は、顧客案内画面を表示し操作するＬＣＤおよびタッチパネルや顧客案内音声を出力する音声案内部から構成されており、顧客は案内画面や案内音声に従って操作を進めることとなる。
【００１３】
図６は実施例１の紙葉類入出金機の構成図であり、紙葉類入出金機２６は紙葉類取扱装置１０の内部に設けられている。紙葉類入出金機２６において、紙葉類入出金部１４は紙幣６の入出金処理を行う機構であり、搬送路２５は紙幣６の搬送を行う機構を設けており、認識部２１は紙幣６の真偽および金種を判定する機構を設けている。
【００１４】
金種スタッカ２２は認識部２１にて判定された紙幣６を金種別に格納し、リジェクトボックス２３は不良紙幣を保管するための機構である。紙葉類カセット１は紙幣６を格納する機構と金種スタッカへ紙幣６を補充するための機構を有しており、装置外部への取り外しおよび運搬可能となっている。
【００１５】
図１は実施例１の紙葉類カセット１の外観斜面図を示し、扉３には鍵穴２と、紙幣６の残量を確認するための確認部（以後、確認用窓とする）４が設けられている。さらに紙葉類カセット１の上部には、格納された紙幣６を図示しない駆動手段により繰出す紙葉類繰出口７が設けられている。
【００１６】
そして、紙幣６の残量の目盛２４を示したベルト５と、紙幣６の残量を指し示す残量確認位置９は、確認用窓４にて確認することができるようになっている。またベルト５は、図３を用いて後述する構成により紙幣６の残量が減る毎に矢印Ａ方向に移動するようになっている。
【００１７】
図２は紙葉類カセット１の内部構成を説明する図であり、紙葉類カセット１の鍵穴２に図示しない鍵を差し込み開錠して扉３を開き、紙幣６がセットされた状態を示す。
【００１８】
ここで紙幣６を補充する際は、ステージ８を矢印Ａ方向とは逆方向へ降下させた後、紙幣６をステージ８の上に乗せる。そして、紙幣６を紙葉類繰出口７より繰出せる位置にセットするために矢印Ａ方向にステージ８を上げ、扉３を閉めることで紙幣６のセットが完了するようになっている。
【００１９】
図３は、紙葉類カセット内部の詳細な構成を説明する図であり、ステージ８およびベルト５は連動するように構成されている。
【００２０】
ギア２７ａおよびギア２７ｂは、互いに嵌合するよう構成されており、ギア２７ａは嵌合部材であるラック２８ａと、ギア２７ｂは嵌合部材であるラック２８ｂとそれぞれ嵌合するように構成されている。また図中右側のラック２８ａはステージ８に固定されており、図中左側のラック２８ｂはベルト５の裏側に固定されている。
【００２１】
ここで、紙幣６の残量が紙幣繰出等により減ると、図示しないばね等の付勢力によりステージ８がラック２８ａとともに上昇し、ラック２８ａと嵌合したギア２７ａが矢印Ｃのように回転する。そして、ギア２７ａの回転によりギア２７ｂが矢印Ｄ方向に回転し、ギア２７ｂと嵌合したラック２８ｂがベルト５とともに矢印Ａ方向に移動するようになっている。
【００２２】
なお、紙幣６が補充された場合は、ステージ８が矢印Ａ方向とは逆に降下し、ギア２７ａおよびギア２７ｂがそれぞれ矢印Ｃおよび矢印Ｄとは逆方向に回転し、その結果、ベルト５が矢印Ａとは逆方向に降下する。
【００２３】
（動作）
以上の構成により、実施例１の紙葉類カセット１は、以下のように動作する。本動作を図１ないし図６の外観図および構成図を用いて以下説明する。
【００２４】
まず、接客部１６の案内に従い顧客により紙葉類取扱装置１０が操作され、紙幣６の挿入が行われると、紙葉類入出金部１４より挿入された紙幣６は、搬送路２５にて搬送され、認識部２１にて紙幣６の真偽および金種が判定される。
【００２５】
その後、紙幣６は搬送路２５を経由し金種スタッカ２２に金種別に格納され、認識部２１にて不良紙幣と判断された紙幣６は、搬送路２５にて搬送されリジェクトボックス２３に格納されることになる。
【００２６】
そして、釣銭の排出や顧客による紙幣６の払出しが行われる場合、紙葉類カセット１の図示しない駆動手段により紙葉類繰出口７より紙幣６が繰出され、搬送路２５を経由して紙葉類入出金部１４より排出される。
【００２７】
また、硬貨の釣銭がある場合は、図示しない硬貨カセットより硬貨が繰出され、図示しない搬送路を経由し硬貨入出金部１５より排出される。そして、明細票印字部１２より取引内容が印字された明細票が排出される。
【００２８】
このとき、図３のように、紙幣６が紙葉類カセット１の紙葉類排出口７より繰出され、紙葉類カセット１内の紙幣６の残量が減少すると、図示しないばね等の付勢力によりステージ８がラック２８ａとともに矢印Ａ方向に移動する。
【００２９】
すると、ラック２８ａと嵌合するギア２７ａが矢印Ｃ方向に回転し、ギア２７ｂが矢印Ｄ方向に回転するので、ベルト５の裏側に固定されたラック２８ｂが矢印Ａ方向に移動する。その結果、ベルト５が矢印Ａ方向に移動し、残量に合った位置で停止する。
【００３０】
そして、図１に示すように、ベルト５には紙幣６の残量の目盛２４が示されているため、例えば目盛２４を指し示す残量確認位置９が「１０００」近傍であれば、確認用窓４にて紙幣６の残量が１，０００枚程度であることが確認でき、扉３を開くことなく紙幣６の残量を確認することができる。
【００３１】
（実施例１の効果）
以上詳細に述べたように、実施例１の紙葉類カセットおよび紙葉類取扱装置によれば、ステージの上下移動と連動して移動するベルトと、前記ベルトに前記紙葉類の残量を表す目盛を設け、前記ベルトに設けられた前記目盛を前記紙葉類カセット外側から確認する確認部を設けたので、紙葉類カセットの扉の鍵を開錠せずに外側から紙葉類の残量を確認することができる。
【実施例２】
【００３２】
（構成）
図７は実施例２の紙葉類カセットの外観斜面図であり、外側から具体的な数字により紙幣６の残量が分からないように、ベルト５を色の濃淡で示すようにし、セキュリティを確保するようにしている。
【００３３】
例えば、上部側を残量が多いことを意味する濃い色で示し、下部側を残量が少ないことを意味する淡い色で示し、色が淡くなる毎に、すなわち紙葉類カセット１内の紙幣６の枚数が減少する毎に、ベルト５が矢印Ａ方向に移動する構成となっている。その他の構成は実施例１の紙葉類カセット１と同様であるので、簡略化のためにその説明を省略する。
【００３４】
（動作）
以上の構成により、実施例２の紙葉類カセット１は、以下のように動作する。本動作を図２ないし図８の外観図および構成図を用いて以下説明する。
【００３５】
まず、接客部１６の案内に従い顧客により紙葉類取扱装置１０が操作され、紙幣６の挿入が行われると、紙葉類入出金部１４より挿入された紙幣６は、搬送路２５にて搬送され、認識部２１にて紙幣６の真偽および金種が判定される。
【００３６】
その後、紙幣６は搬送路２５を経由し金種スタッカ２２に金種別に格納され、認識部２１にて不良紙幣と判断された紙幣６は、搬送路２５にて搬送されリジェクトボックス２３に格納されことになる。
【００３７】
そして、釣銭の排出や顧客による紙幣６の払出しが行われる場合、紙葉類カセット１の図示しない駆動手段により紙葉類繰出口７より紙幣６が繰出され、搬送路２５を経由して紙葉類入出金部１４より排出される。
【００３８】
また、硬貨の釣銭がある場合は、図示しない硬貨カセットより硬貨が繰出され、図示しない搬送路を経由し硬貨入出金部１５より排出される。すると、明細票印字部１２より取引内容が印字された明細票が排出される。
【００３９】
ここで、紙幣６の残量が紙幣繰出等により減ると、図示しないばね等の付勢力によりステージ８がラック２８ａとともに上昇し、ラック２８ａと嵌合したギア２７ａが矢印Ｃのように回転する。
【００４０】
そして、ギア２７ａの回転によりギア２７ｂが矢印Ｄ方向に回転し、ギア２７ｂが嵌合したラック２８ｂがベルト５とともに矢印Ａ方向に移動するようになっているのは実施例１と同様である。
【００４１】
そして、図７に示すように、ベルト５は色の濃淡によって紙幣６の残量を判定できるようになっているため、確認用窓４にて、例えば残量確認位置９が指し示すベルト５の色が淡色と濃色の中間色である「グレー」であるとすると、紙幣６の残量が減少してきたことが確認でき、扉３を開くことなく紙幣６の残量を確認することができる。
【００４２】
或は、図８に示すように、ベルト５に色の濃淡を持たせた色表示を縦方向に複数配し、淡色の範囲が広くなることで紙幣６の残量が減少してきたことを示すようにし、紙幣６の残量が減少すると矢印Ａ方向にベルトを移動させ、残量確認位置９が指し示す色表示を確認することで紙幣６の残量を確認するようにしてもよい。
【００４３】
（実施例２の効果）
以上詳細に述べたように、実施例２の紙葉類カセットおよび紙葉類取扱装置によれば、外側から具体的な数字で残量が分からないように、ベルトの色の濃淡によって数字の意味を持たせ、確認用窓にて残量確認位置の指し示す色を確認できるようにしたので、セキュリティを確保するとともに、紙葉類カセットの扉を開くことなく紙葉類カセット内の紙葉類の残量を確認することができる。
【実施例３】
【００４４】
（構成）
図９は実施例３の紙葉類カセットのベルトの構成図であり、ベルト５の横幅に斜めに黒色と白色の異なる色幅ａ、ｂを持たせ、黒色の色幅ａが狭くなり、白色の色幅ｂが広くなるにつれて紙幣６の残量が少ないことを示すようになっている。
【００４５】
図１０は実施例３の紙葉類カセットの外観斜面図を示し、紙葉類カセット１内の紙幣６の残量が減少すると、ベルト５が矢印Ａ方向に移動して黒色の色幅ａが狭くなり、確認用窓４の下部に示した目盛２４ａと黒色の色幅ａの位置を確認する事で、紙幣６の残量を判定できるようになっている。その他の構成については、実施例１および実施例２の構成と同様であるので、簡略化のためにその説明を省略する。
【００４６】
（動作）
以上の構成により、実施例３の紙葉類カセット１は、以下のように動作する。本動作を、図２ないし図６並びに図９および図１０の外観図および構成図を用いて以下説明する。
【００４７】
まず、接客部１６の案内に従い顧客により紙葉類取扱装置１０が操作され、紙幣６の挿入が行われると、紙葉類入出金部１４より挿入された紙幣６は、搬送路２５にて搬送され、認識部２１にて紙幣６の真偽および金種が判定される。
【００４８】
その後、紙幣６は搬送路２５を経由し金種スタッカ２２に金種別に格納され、認識部２１にて不良紙幣と判断された紙幣６は、搬送路２５にて搬送されリジェクトボックス２３に格納されことになる。
【００４９】
そして、釣銭の排出や顧客による紙幣６の払出しが行われる場合、紙葉類カセット１の図示しない駆動手段により紙葉類繰出口７より紙幣６が繰出され、搬送路２５を経由して紙葉類入出金部１４より排出される。
【００５０】
また、硬貨の釣銭がある場合は、図示しない硬貨カセットより硬貨が繰出され、図示しない搬送路を経由し硬貨入出金部１５より排出される。すると、明細票印字部１２より取引内容が印字された明細票が排出される。  
【００５１】
ここで、紙幣６の残量が紙幣繰出等により減ると、図示しないばね等の付勢力によりステージ８がラック２８ａとともに上昇し、ラック２８ａと嵌合したギア２７ａが矢印Ｃのように回転する。
【００５２】
そして、ギア２７ａの回転によりギア２７ｂが矢印Ｄ方向に回転し、ギア２７ｂが嵌合したラック２８ｂがベルト５とともに矢印Ａ方向に移動するようになっているのは実施例１および実施例２と同様である。
【００５３】
そして、図１０に示すように、ベルト５の黒色の色幅ａの位置と確認用窓４の下部に示された目盛２４ａの位置によって紙幣６の残量が判定できるようになっているため、例えば黒色の色幅ａの位置を指し示す目盛２４ａが「５００」近傍であった場合、紙葉類カセット１内の紙幣６の残量は５００枚程度であることが確認でき、扉３を開くことなく紙幣６の残量を確認することができる。
【００５４】
なお、実施例２と同様、セキュリティを考慮し、色幅により残量を確認するようにし、残量を表す数値を設けないようにしてもよい。
【００５５】
（実施例３の効果）
以上詳細に述べたように、実施例３の紙葉類カセットおよび紙葉類取扱装置によれば、ベルトの色幅を斜めに変化させ、確認用窓の下部に横幅位置に対応する目盛を設け、確認用窓にて紙葉類の残量を確認できるようにしたので、実施例１と同様、扉を開くことなく紙葉類カセット内の紙葉類の残量を確認することができる。
【００５６】
《その他の変形例》
以上の実施例の説明では、目盛の位置や濃淡、形状等により紙葉類カセット内に紙幣の残量がどの程度あるかを確認できるように説明したが、これらを組合わせたり、形状を変更して表示するようにしてもよい。
【００５７】
或いは、多少高額となるが、セキュリティを強化するために、残量表示を液晶表示器等で表示するようにし、通常は、表示せずに所定のキー操作により残量表示を行うようにしたり、非接触カードやタグによる認証を行い認証された場合に残量表示を行うようにしてもよい。或いは、タイマーを設け、紙葉類カセットを操作する所定の時間のみ表示するようにしてもよい。
【００５８】
また、実施例の説明では、ステージを垂直方向に移動する縦型の紙葉類カセットの場合を記載したが、ステージを水平方向に移動する横型の紙葉類カセットであってもよい。
【００５９】
また、実施例の説明では、帯状のベルトの裏側にラックを固定するようにしたが、無端ベルトを用いてベルトを直接ギアに嵌合させてもよい。また、ベルトを用いず、ラックに直接残量表示を施すようにしてもよい。また、ステージを移動させるために駆動ベルトを使用している紙葉類カセットの場合においては、該駆動ベルトに直接残量表示を施すようにしてもよい。
【産業上の利用可能性】
【００６０】
以上述べたように、本発明は、紙葉類を取扱う紙葉類取扱装置に広く用いることができる。
【図面の簡単な説明】
【００６１】
【図１】実施例１の紙葉類カセットの外観斜面図である。
【図２】実施例１の紙葉類カセットの内部構成を説明する図である。
【図３】実施例１の紙葉類カセット内部の詳細な構成を説明する図である。
【図４】実施例１の紙葉類取扱装置の構成を説明する図である。
【図５】実施例１の紙葉類取扱装置の外観斜面図である。
【図６】実施例１の紙葉類入出金機の構成を説明する図である。
【図７】実施例２の紙葉類カセットの外観斜面図である。
【図８】実施例２の紙葉類カセットのベルトと確認用窓の構成を説明する図である。
【図９】実施例２の紙葉類カセットのベルトの構成を説明する図である。
【図１０】実施例３の紙葉類カセットの外観斜面図である。
【符号の説明】
【００６２】
１    紙葉類カセット
３    扉
４    確認用窓
５    ベルト
６    紙幣
７    紙葉類繰出口
８    ステージ
９    残量確認位置
２４  目盛
【図１】
2008152311.tif 000003
【図２】
2008152311.tif 000004
【図３】
2008152311.tif 000005
【図４】
2008152311.tif 000006
【図５】
2008152311.tif 000007
【図６】
2008152311.tif 000008
【図７】
2008152311.tif 000009
【図８】
2008152311.tif 000010
【図９】
2008152311.tif 000011
【図１０】
2008152311.tif 000012